(57)【特許請求の範囲】
【請求項１】
装着される検眼レンズを回動自在に支承するレンズ保持枠と、このレンズ保持枠の背面側に取付けられ眼鏡を挟持するクリップとを備え、
前記レンズ保持枠は、それぞれＣ字形状であって開放端と閉塞端を有しかつ閉塞端が互いに対向する左右対称な一対のリム部と、これらのリム部の互いに対向する閉塞端を連結する連結部とからなり、前記各リム部の内周面は、前記検眼レンズを回動可能にかつ左右方向にＰＤ調整のための移動可能に保持する収納空間を形成していることを特徴とする検眼用テスト具。
【請求項２】
請求項１記載の検眼用テスト具において、
前記レンズ保持枠は、略同一形状の２枚のプラスチック板を重ね合わせて接合することにより一体的に形成されていることを特徴とする検眼用テスト具。
【請求項３】
請求項１または２記載の検眼用テスト具において、
前記レンズ保持枠は、各リム部の開放端幅を狭める突起を一体に有することを特徴とする検眼用テスト具。
【請求項４】
請求項１，２または３記載の検眼用テスト具において、
前記レンズ保持枠は、中心からＰＤの最小半値幅となる位置に検眼レンズの摘み部を係止する係止部を有することを特徴とする検眼用テスト具。
【請求項５】
請求項４記載の検眼用テスト具において、
前記レンズ保持枠の係止部は、リム部の上側直線部の先端部に設けられ、垂直線に対して所要角度傾斜した斜面を有することを特徴とする検眼用テスト具。
【請求項６】
請求項１記載の検眼用テスト具において、
前記レンズ保持枠は、透明な２枚のプラスチック板を重ね合わせて接合することにより一体的に形成され、表面側のプラスチック板の各リム部の上側直線部の先端部を表示部として中心からのＰＤの半値幅を示す目盛り線を垂直線に対して所要角度傾斜させて表示し、裏面側のプラスチック板の各リム部の上側直線部を前記上側リム部の表示部より短く形成してその先端を前記目盛り線と同一角度で傾斜し、レンズ保持枠の中心からＰＤの最小半値幅となる位置に検眼レンズの摘み部を係止する係止部としたことを特徴とする検眼用テスト具。
【発明の詳細な説明】
【０００１】
【発明の属する技術分野】
本発明は、検眼用テスト具に関し、特に好ましくは累進多焦点用検眼レンズの装着に用いて好適な検眼用テスト具に関する。
【０００２】
【従来の技術】
近年、老齢化に伴い老視レンズの需要が増加してきた。特に、累進多焦点レンズの普及はめざましく、累進多焦点レンズの種類も多様化してきている。したがって、装用者にとってそのレンズの設計特性を知らしめるためには、実際に装用者に適すると思われるレンズを試着させて、それぞれのレンズをテストすることが好ましい。しかし、正確に検眼レンズの試着環境を作り出すことは容易ではない。すなわち、テスト用検眼フレームを使ってアイポイント調整を行い、次に、一般の検眼レンズを組合わせて老視以外の現在装用している眼鏡の状態を一旦作り出し、そこから累進多焦点用検眼レンズの試着を開始することになる。したがって、検眼レンズの装着やレンズ間の組み合わせ調整、瞳孔間距離（以下、ＰＤという）調整操作、乱視軸の調整、アイポイント調整等の種々の調整操作が不可欠であり、装用準備に時間がかかり、装用状態のセッティング操作も容易ではない。
【０００３】
また、乱視眼者や強度の近視眼者は、レンズの組み合わせ枚数も多くなり、それに累進多焦点用検眼レンズが加わるので、レンズ部の厚さが増し、また重量も増し、装用者に負担をかけることになる。
【０００４】
被検眼者の視力測定に用いられる従来の検眼用フレームとしては、従来から種々提案されている（例えば、特許文献１参照）。
【０００５】
【特許文献１】
実公平５−４６７２５号公報（実用新案登録請求の範囲の記載、２頁左下欄３９行〜９頁右欄１５行、第１、第３図）
なお、出願人は本明細書に記載した先行技術文献情報で特定される先行技術文献以外には、本発明に密接に関連する先行技術文献を出願時までに発見するには至らなかった。
【０００６】
上記実公平５−４６７２５号公報に記載された検眼用フレームは、装用者の側頭部を挟持する左右一対のテンプルを一体に備えたフロントマウンティングと、このフロントマウンティングの前面に左右方向に移動可能に取付けられる左右一対のレンズホルダと、これらのレンズホルダをフロントマウンティングとともに保持するレンズホルダ保持部材と、フロントマウンティングに着脱自在に取付けられる鼻当てとを備え、通常は被検眼者の鼻に鼻当てを当てて装着、検眼し、被検眼者が眼鏡を装着したままで検眼するときには鼻当ての代わりにハンガーをフロントマウンティングに取付けて眼鏡のリム上面に載せることにより検眼用フレームを安定した状態とし、レンズホルダに装着された検眼レンズと眼鏡レンズを重ね合わせて検眼するようにしている。
【０００７】
【発明が解決しようとする課題】
しかしながら、上記した実公平５−４６７２５号公報に記載された検眼用フレームは、フロントマウンティング、２つのレンズホルダ、レンズホルダ保持部材、鼻当て、ハンガー等を備えているため、部品点数が多く軽量化することができず、また製造コストが嵩むという問題があった。また、眼鏡を装着したままで検眼するときは、鼻当てをハンガーと交換しなければならないという煩わしさがある。さらに、検眼用フレームを眼鏡に装着した状態で使用するときは、検眼用フレームの全重量が眼鏡を介して鼻に加わるため、鼻への負担が大きく、また眼鏡と検眼用フレームのテンプル（合計４本）が耳と側頭部に掛けられるため、検眼に時間がかかるとうっとおしいという問題もあった。
【０００８】
本発明は上記した従来の問題を解決するためになされたもので、その目的とするところは、簡便で部品点数が少なく軽量化、低廉化を可能にするとともに、既存の眼鏡に重ね合わせて装着することができるようにした検眼用テスト具を提供することにある。
【０００９】
【課題を解決するための手段】
上記目的を達成するために第１の発明は、装着される検眼レンズを回動自在に支承するレンズ保持枠と、このレンズ保持枠の背面側に取付けられ眼鏡を挟持するクリップとを備え、前記レンズ保持枠は、それぞれＣ字形状であって開放端と閉塞端を有しかつ閉塞端が互いに対向する左右対称な一対のリム部と、これらのリム部の互いに対向する閉塞端を連結する連結部とからなり、前記各リム部の内周面は、前記検眼レンズを回動可能にかつ左右方向にＰＤ調整のための移動可能に保持する収納空間を形成しているものである。
【００１０】
第１の発明においては、レンズ保持枠がＣ字状に形成された左右一対のリム部と、これらのリム部の互いに対向する閉塞端を連結する連結部とで構成されているので、レンズ保持枠の構造が簡単で部品点数を削減することができる。クリップは、レンズ保持枠を被検眼者の眼鏡に対して着脱する。検眼レンズは各リム部の内部空間に挿入されて回動自在にかつ左右方向に移動可能に保持され、開放端から簡単に着脱される。
【００１１】
第２の発明は、上記第１の発明において、前記レンズ保持枠は、略同一形状の２枚のプラスチック板を重ね合わせて接合することにより一体的に形成されているものである。
【００１２】
第２の発明においては、レンズ保持枠が略同一形状からなる２枚のプラスチック板によって形成されているので、レンズ保持枠の製作が容易で安価である。
【００１３】
第３の発明は、上記第１または第２の発明において、前記レンズ保持枠は、各リム部の開放端幅を狭める突起を一体に有するものである。
【００１４】
第３の発明において、検眼レンズは突起を乗り越えることによりリム部に対して着脱される。このとき、リム部は弾性変形して開放端幅を拡大させる。
【００１５】
第４の発明は、上記第１、第２または第３の発明において、前記レンズ保持枠は、中心からＰＤの最小半値幅となる位置に検眼レンズの摘み部を係止する係止部を有するものである。
【００１６】
第４の発明において、検眼レンズは摘み部が係止部に当接することによりレンズ保持枠の中心からＰＣの半値幅となる位置に係止される。
【００１７】
第５の発明は、上記第４の発明において、前記レンズ保持枠の係止部は、リム部の上側直線部の先端部に設けられ、垂直線に対して所要角度傾斜した斜面を有するものである。
【００１８】
第５の発明において、検眼レンズは摘み部を斜め上に向けた状態でレンズ保持枠に装着され、係止部に当接することによりレンズ保持枠の中心からＰＣの半値幅となる位置に係止される。
【００１９】
第６の発明は上記第１の発明において、前記レンズ保持枠は、透明な２枚のプラスチック板を重ね合わせて接合することにより一体的に形成され、表面側のプラスチック板の各リム部の上側直線部の先端部を表示部として中心からのＰＤの半値幅を示す目盛り線を垂直線に対して所要角度傾斜させて表示し、裏面側のプラスチック板の各リム部の上側直線部を前記上側リム部の表示部より短く形成してその先端を前記目盛り線と同一角度で傾斜し、レンズ保持枠の中心からＰＤの最小半値幅となる位置に検眼レンズの摘み部を係止する係止部としたものである。
【００２０】
第６の発明において、検眼レンズの摘み部は表面側のプラスチック板のリム部の上側直線部の表示部裏面に重なり合い、裏面側のプラスチック板のリム部の上側直線部先端に設けた係止部に当接することにより、眼鏡レンズをレンズ保持枠の中心からＰＤの最小半値幅となる位置に係止される。
【００２１】
【発明の実施の形態】
以下、本発明を図面に示す実施の形態に基づいて詳細に説明する。
図１は本発明に係る検眼用テスト具の一実施の形態を示す使用状態の正面図、図２は同じく検眼用テスト具の平面図、図３は同じく検眼用テスト具を眼鏡に装着するときの様子を示す図、図４は図１のＩＶ−ＩＶ線拡大断面図、図５は左眼用検眼レンズの正面図である。これらの図において、全体を符号１で示す検眼用テスト具は、被検眼者が装用している眼鏡２に装着して使用されるもので、レンズ保持枠３と、このレンズ保持枠３の背面中央に取付けられたクリップ４とで構成されている。なお、被検眼者が眼鏡２を装用していないときは、眼鏡店に備え付けの既成の眼鏡が用いられる。この既成眼鏡のレンズ度数は、０．００ディオプター（Ｄ）である。
【００２２】
前記レンズ保持枠３は、同一のＣ字状に形成されることにより開放端と閉塞端をそれぞれ有し互いに閉塞端が対向し開放端が側方を向いた２つのリム部５，６と、これらのリム部５，６の閉塞端を互いに連結する連結部７とで構成され、各リム部５，６の内部空間８Ａ，８Ｂが検眼レンズ１０を回動かつ左右方向に移動自在に収納する収納空間をそれぞれ形成している。このため、各リム部５，６は、それぞれ半円形部５Ａ，６Ａと、この半円形部５Ａ，６Ａに続き上下に平行に対向する２つの水平な直線部５Ｂ（Ｕ），５Ｂ（Ｌ）、６Ｂ（Ｕ），６Ｂ（Ｌ）とからなり、これらの直線部によって前記収納空間８Ａ，８Ｂ内における前記検眼レンズ１０の左右方向の移動（ＰＤ調整、アイポイント調整）を可能にしている。各リム部５，６の半円形部５Ａ，６Ａの直径と、上下に対向する２つの直線部５Ｂ（Ｕ），５Ｂ（Ｌ），６Ｂ（Ｕ），６Ｂ（Ｌ）の幅Ｗ1 はそれぞれ共に３６ｍｍで等しく、検眼レンズ１０の外径（３８ｍｍ）より小さく設定されている。また、各リム部５，６の開放端部の幅（開放端幅）Ｗは、検眼レンズ１０の脱落を防止するために突起１１の形成によって前記幅Ｗ1 より小さく設定されている（Ｗ1 ＞Ｗ）。
【００２３】
前記各リム部５，６の表面には、ＰＤ調整用の距離目盛り１３と、互いに直交する２本の線１４，１５が表示されている。
【００２４】
前記ＰＤ調整用の距離目盛り１３は、図１に示すように各リム部５，６の表面で、上側（Ｕ）と下側（Ｌ）の直線部５Ｂ（Ｕ），５Ｂ（Ｌ），６Ｂ（Ｕ），６Ｂ（Ｌ）にそれぞれ表示されている。この場合、上側の直線部５Ｂ（Ｕ），６Ｂ（Ｕ）側には、ＰＤの半値幅（ｍｍ）を示すレンズ保持枠３の中央からの距離を示す数字「２８」、「３０」、「３２」、「３４」、「３６」（ただし、３０，３２，３４は図示を省略）と、これらの距離の位置を示す垂直な５本の目盛り線１６が等間隔で表示されている。一方、下側の直線部５Ｂ（Ｌ），６Ｂ（Ｌ）の表面にはレンズ保持枠３の中央からの距離「２８」、「３０」、「３２」、「３４」、「３６」を示す垂直な５本の目盛り線１７のみが表示されている。なお、検眼レンズ１０のＰＤの調整範囲は、本実施の形態では５６〜７２ｍｍである。
【００２５】
前記連結部７の表面に表示されている２本の直線の内、水平な線１４は、リム部５，６の中心を通るデータムライン（幾何学水平線）である。垂直な線１５は、検眼用テスト具１の左右方向中央を表示する線であり、検眼用テスト具１を眼鏡２に装着するとき、垂直な線１５が眼鏡２のブリッジの中央と一致するように装着され、左右方向のずれが調整される。
【００２６】
前記連結部７の上方には矩形の凹部２０が形成され、下方には鼻逃がし用凹部２１が形成されている。凹部２０は、レンズ保持枠３と前記クリップ４との相対的な回動時の干渉を防止するとともに、クリップ４の操作を可能にするためのもので、親指または人差し指の挿入を可能にする大きさの凹部に形成されている。鼻逃がし用凹部２１は、検眼用テスト具１を眼鏡２に装着したとき、被検眼者の鼻がレンズ保持枠３に当たらないようにする凹部で、左右対称な台形（望ましくは富士山型）に形成されている。
【００２７】
前記突起１１は三角形の突起からなり、下側の直線部５Ｂ（Ｌ），６Ｂ（Ｌ）の先端部上面に一体に突設されている。検眼レンズ１０を各リム部５，６の収納空間８Ａ，８Ｂに装着するときは、レンズ保持枠３自体の弾性に抗して各リム部５，６の上下に対向する直線部５Ｂ（Ｕ），５Ｂ（Ｌ）、６Ｂ（Ｕ），６Ｂ（Ｌ）を互いに離間する方向に弾性変形させて開放端幅Ｗを検眼レンズ１０の外径Ｄより広くすればよい。一方、収納空間８Ａ，８Ｂから検眼レンズ１０を取り出すときは、検眼レンズ１０を引っ張って突起１１を乗り越えさせればよい。このとき、各リム部５，６の上下に対向する直線部５Ｂ（Ｕ）と５Ｂ（Ｌ）、６Ｂ（Ｕ）と６Ｂ（Ｌ）が互いに離間する方向に弾性変形して開口端幅Ｗを検眼レンズ１０の外径Ｄより広くするため、容易に抜き出すことができる。
【００２８】
一方、各リム部５，６の上側直線部５Ｂ（Ｕ），６Ｂ（Ｕ）の先端部の下側角部は、検眼レンズ１０をレンズ保持枠３の中心からＰＤの最小半値幅（例えば、２８ｍｍ）の位置に位置決めする係止部２７を形成している。この係止部２７は垂直線に対して略４５°傾斜し下端側がリム部５，６の略中心を指向する斜面に形成されている。
【００２９】
前記各リム部５，６の内周面には、前記検眼レンズ１０の外周縁を保持するレンズ保持溝２８が全周にわたってそれぞれ形成されている。レンズ保持溝２８は、Ｖ字状の溝からなり、図４に示すように上側より下側の溝幅が広く設定されている。
【００３０】
このようなレンズ保持枠３は、同一形状に形成された平板で透明な２枚のプラスチック板３０（表面側プラスチック板を指すときは３０Ａ，裏面側プラスチック板を指すときは３０Ｂで示す）を重ね合わせて接合することにより一体的に形成されている。２枚のプラスチック板３０Ａ，３０Ｂは、板厚が１．５ｍｍ程度のアクリル樹脂製で、２つの「Ｃ」（または「横向きＵ」）の字を背中合わせに接合したような形状（または数字の「８」の上部と下部を切り取って横向きにしたような形状）に形成され、上部が接着剤３１（図４）によって互いに接着され、下部が１ｍｍ程度の厚さを有する両面粘着テープ３２によって互いに接合されている。２枚のプラスチック板３０Ａ，３０Ｂの下端部の間隔を両面粘着テープ３２によって上端部側より広くした理由は、下側のレンズ保持溝２８に対する検眼レンズ１０の挿入量を上側より多くし、レンズ保持溝２８からの検眼レンズ１０の脱落を防止するためである。各プラスチック板３０Ａ，３０Ｂのリム部の内周面は、それぞれ同一角度で反対方向に傾斜する斜面に形成されており、これにより前記レンズ保持溝２８を形成している。レンズ保持溝２８の深さは１．５ｍｍ程度である。
【００３１】
図１〜図３において、前記クリップ４は、前記レンズ保持枠３を眼鏡２に取付けるために用いられるもので、前記レンズ保持枠３の背面上部に４本のビス３５によって固定された支持アーム３６と、この支持アーム３６に上下方向に回動自在に取付けられた回動部材３７と、この回動部材３７に同じく回動自在に取付けられた挾み部材３８等で構成されている。
【００３２】
前記支持アーム３６は、細い金属棒からなり両端部が扁平に形成されるとともに下方に折り曲げられて脚部３６ａ，３６ｂを形成し、これらの脚部３６ａ，３６ｂが前記レンズ保持枠３の背面でかつ前記凹部２０の両側に位置するように前記ビス３５によって固定されている。支持アーム３６の中央部３６ｃは水平で、前記レンズ保持枠３の凹部２０よりも上方に位置し、前記回動部材３７を回動自在に枢支する軸部を構成している。
【００３３】
前記回動部材３７は、前記凹部２０の上方に位置する把持部３７Ａを有し、またこの把持部３７Ａの両側には左右一対の前側挾み部３７Ｂ，３７Ｃが下方に向かって一体に延設されている。これらの挾み部３７Ｂ，３７Ｃの下端部には眼鏡２のレンズ４０に当たったときレンズ４０を傷つけないようにするために軟質材料からなるキャップ３９が被冠されている。回動部材３７の上面後端部には、前記挾み部材３８を回動自在に枢支する左右一対の軸受部４１ａ，４１ａが一体に設けられている。
【００３４】
前記挾み部材３８は、細い金属棒からなり、中央部３８Ａが水平で前記回動部材３７の２つの軸受部４１ａ，４１ａに着脱可能に嵌め込まれることにより回動自在に枢支されており、かつ２つの捩りコイルばね４２，４２によって閉じ方向（図３において反時計方向）に付勢されている。捩りコイル４２は、挾み部材３８の中央部３８Ａに装着され、一端が前記回動部材３７に圧接され、他端が挾み部材３８に圧接されている。挾み部材３８の両端部は、下方に折り曲げられて前記回動部材３７の挾み部３７Ｂ，３７Ｃと対向し、後側挾み部３８Ｂ，３８Ｃをそれぞれ形成している。これらの後側挾み部３８Ｂ，３８Ｃは、眼鏡２のレンズ４０に当たったときレンズを傷つけないように軟質材料からなるキャップ４３が被冠され、図３に示すように通常前記回動部材３７の前側挾み部３７Ｂ，３７Ｃに前記捩りコイルばね４２のばね力によって後方から圧接されている。すなわち、前記回動部材３７の前側挾み部３７Ｂ，３７Ｃと、挾み部材３８の後側挾み部３８Ｂ，３８Ｃは、眼鏡２のレンズ４０の表裏面を挟持する挟持手段を構成するもので、これによって眼鏡２に対する検眼用テスト具１の装着を可能にしている。前記挾み部材３８の中央部３８Ａには、操作レバー４５が一体に設けられている。操作レバー４５は、図３に示すように側面視「へ」の字状に形成され、前記回動部材３７の把持部３７Ａの上方を覆っている。
【００３５】
前記前側挾み部３７Ｂ，３７Ｃと後側挾み部４８Ｂ，３８Ｃによって眼鏡２のレンズ４０の表裏面を挾むときには、親指と人差し指で回動部材３７の把持部３７Ａと操作レバー４５を把持し、操作レバー４５を捩りコイルばね４２に抗して図３において時計方向に回動させる。これにより挾み部材３８が図３において時計方向に回動して後側挾み部３８Ｂ，３８Ｃを図３に２点鎖線４６で示すように前側挾み部３７Ｂ，３７Ｃから離間させ、この状態でこれらの挾み部間に眼鏡２のレンズ４０を下から差し込んで操作レバー４５に対する押圧力を解除すると捩りコイルばね４２の力により挟み部材３７が回動復帰して前側挾み部３７Ｂ，３７Ｃと後側挾み部３８Ｂ，３８Ｃとによりレンズ４０の表裏面を挟持し、もって検査用テスト具１が眼鏡２に装着される。
【００３６】
このような構造からなるクリップ４は回動部材３７が支持アーム３６の中央部３６ｃに上方に向かって略１８０°の角度範囲で回動し得るように取付けられていることにより、跳上げ式のクリップを構成している。すなわち、眼鏡２に検査用テスト具１を装着した状態で、レンズ保持枠３を図３に矢印４７で示すように前方に持ち上げると、支持アーム３６が回動部材３７に対して回動し、レンズ保持枠３を略水平または略垂直な状態に跳ね上げることができる。一方、検眼レンズ１０をレンズ保持枠３の各リム部５，６に装着するときは、前記回動部材３７と挾み部材３８を２点鎖線４８で示すようにレンズ保持枠３の上方に予め跳ね上げておくと、検眼レンズ１０が前側挾み部３７Ｂ，３７Ｃに当たったりすることがなく、レンズ保持枠３に確実に装着することができる。
【００３７】
図４および図５において、前記検眼レンズ１０は、透明な合成樹脂の射出成形品からなり、レンズ部１０Ａと、このレンズ部１０Ａの外周の一部に径方向に一体に延設された板状の摘み部１０Ｂとで構成されている。レンズ部１０Ａは、遠用部Ｅと、近用部Ｆと、これら両部を接続する累進部Ｇとを有することにより累進多焦点用検眼レンズを形成している。Ｈは遠用部Ｅのアイポイントの位置、Ｉは近用部Ｆのアイポイントの位置である。
【００３８】
前記摘み部１０Ｂは、レンズ部１０Ａが左眼用（Ｌ）か右眼用（Ｒ）かに応じてレンズ部１０Ａの光学中心位置から左右いずれかの側に、水平、垂直線に対して４５°傾いて設けられている。すなわち、摘み部１０Ｂは、左眼用の検眼レンズ１０Ｌの場合、図１に示すように被検眼者から見てレンズ部１０Ａの左４５°の位置に４５°の角度で上方に向かって突設され、右眼用の検眼レンズ１０Ｒの場合、同じく被検眼者から見てレンズ部１０Ａの右４５°の位置に４５°の角度で上方に向かって突設されている。
【００３９】
また、摘み部１０Ｂの表面には、検眼レンズ１０が右眼用か左眼用かを区別するローマ字（ＬまたはＲ）４９と、レンズ部１０Ａの加入度数（Ｄ）を表示する数字５０が表示されている。さらに、レンズ部１０Ａの外周部には、前記レンズ保持枠３のレンズ保持溝２８によって保持される縁部５１が全周にわたって一体に形成されている。この縁部５１の表面で左右両側部には、水平基準線の方向を示す２つのマーク５３，５３が形成されている。これらのマーク５３，５３は、縁部５１の表面に形成された小さな凹部からなり、これらのマークを結ぶ仮想線Ｊが水平になるように、言い換えれば前記摘み部１０Ｂが斜め４５°上方を指向するようにレンズ保持枠３のレンズ保持溝２８に装着される。検眼レンズ１０の縁部５１をレンズ保持溝２８によって保持させて２つのマーク５３を結ぶ仮想線Ｊが水平になるように角度調整すると、左眼用の検眼レンズ１０Ｌの場合は、その摘み部１０Ｂが図１に示すように左側のリム部５の係止部２７に近接して対向または当接し、右眼用の検眼レンズ１０Ｒの場合は、その摘み部１０Ｂが右側のリム部６の係止部２７に近接して対向または当接する。この状態において、レンズ保持枠３の前面中央に表示されている水平線２４と、２つのマーク５３を結ぶ仮想線Ｊは一直線を形成する。なお、レンズ部１０Ａをレンズ保持溝２８の最奥まで挿入して摘み部１０Ｂを係止部２７に当接させると、ＰＤの半値幅（レンズ保持枠３の中央からの距離）が２８ｍｍに調整される。
【００４０】
このような構造からなる検眼用テスト具１にあっては、２枚のプラスチック板３０Ａ，３０Ｂによって形成されたレンズ保持枠３と、このレンズ保持枠３の背面中央に取付けられたクリップ４とで構成されているため、構造簡易にして部品点数が著しく少なく、軽量化を可能にするとともに安価に製作することができる。また、眼鏡２への着脱、レンズ保持溝２８への検眼レンズ１０の着脱も簡単かつ容易で、取扱性の優れた検眼用テスト具を提供することができる。
【００４１】
また、軽量であるため被検眼者が長時間装着していても肉体的負担が少なく、快く装着して検眼することができ、特に上平タイプ（遠用度数が０．００）の累進多焦点用検眼レンズを装着して遠方、近方の見え方を体感させるときに用いて好適である。
【００４２】
また、跳上げ式のクリップ４は、レンズ保持枠３を自由に上げたり下げたりすることができるので、検眼を一時中止するときは、その都度検眼用テスト具１を眼鏡２から取り外さなくても、レンズ保持枠３を手で跳ね上げるだけで、眼鏡２のみの使用状態に切り替えることができる。
【００４３】
さらに、検眼レンズ１０を検眼用テスト具１に装着するときは、予めクリップ４をレンズ保持枠３の上方に跳ね上げておくと、検眼レンズ１０がクリップ４の前側挾み部３７Ｂ，３７Ｃのキャップ３９に当たったりすることがなく、確実に装着することができる。
【００４４】
さらにまた、検眼レンズ１０をレンズ保持溝２８Ｂ内で左右に移動させたり、回動部材３７の前側挾み部３７Ｂ，３７Ｃと挾み部材３８の後側挾み部３８Ｂ，３８Ｃによる検眼レンズ１０の挟持位置の上下調節により、ＰＤ調整およびアイポイント調整を容易に行うことができる。
【００４５】
図６は本発明の他の実施の形態を示す検眼用テスト具の正面図、図７は同テスト具の側面図、図８は要部の拡大図である。
この実施の形態は、レンズ保持枠３と、このレンズ保持枠３の背面中央に取付けたクリップ６０とで検眼用テスト具６４を構成し、眼鏡のブリッジをクリップ６０によって挟持するようにしたものである。
【００４６】
前記レンズ保持枠３は、上記した実施の形態と同様に同一形状に形成された２枚のプラスチック板によって形成されている。ただし、接着剤を用いず、両面粘着テープを介して重ね合わせ、一体的に接合することにより、２枚のプラスチック板を互いに平行に対向させた点、および中央の上部に凹部２０を備えていない点が前記した実施の形態と異なるだけで、その他の構造は略同一であるためその説明を省略する。
【００４７】
前記クリップ６０は、レンズ保持枠３の背面中央に固定されたクリップ台座６１と、このクリップ台座６１に板ばね６２を介して回動自在に取付けられた可動側挟持片６３とで構成され、この可動側挟持片６３と前記クリップ台座６１とで眼鏡のブリッジを挟持するように構成されている。つまり、本実施の形態は、跳上げ式でない簡易型のクリップを用いたものである。
【００４８】
前記クリップ台座６１の下端部表面には、図８に示すように左右方向に延在する複数個の突条体６６が高さ方向に一定の間隔をおいて突設されている。一方、可動側挟持片６３の下端部内側面には、突起部６７が一体に突設されており、またこの突起部６７の前記クリップ台座６１の下端部表面と対向する面には、左右方向に延在する複数個の突条体６８が高さ方向に一定の間隔をおいて一体に突設されている。突条体６６と６８は、半ピッチずれて形成され、突条体６８が突条体６６の間に係入することにより可動側挟持片６３の左右方向の傾きを防止し、水平に保持する水平保持機構を構成している。
【００４９】
このような構造からなる検眼用テスト具６４においても、上記した実施の形態と同様に構造が簡単で部品点数が少なく、特にクリップ６０の構成が簡素化され軽量化および低廉化を可能にするとともに、眼鏡への着脱、レンズ保持溝２８への検眼レンズ１０の着脱作業を容易に行うことができ、取扱性の優れた検眼用テスト具を提供することができる。
【００５０】
図９は本発明のさらに他の実施の形態を示レンズ保持枠の正面図、図１０は同レンズ保持枠の一部を破断して示す平面図、図１１は同レンズ保持枠の底面図、図１２は図９のXII−XII線断面図である。
この実施の形態におけるレンズ保持枠７０は、図１に示した実施の形態におけるレンズ保持枠３と略同一形状に形成された透明な２枚のプラスチック板３０Ａ，３０Ｂを重ね合わせることによって形成されている。このため、レンズ保持枠７０は、開放端と閉塞端を有し、閉塞端が互いに対向する左右対称なＣ字状（または横向きＵ字状）からなる一対のリム部７１，７２と、これらのリム部７１，７２の閉塞端を連結する連結部７３とで構成されている。
【００５１】
各リム部７１，７２の内部空間８Ａ，８Ｂは、検眼レンズ１０が着脱自在に挿入される収納空間を形成しており、その内周面には検眼レンズ１０を回動かつ左右方向に移動可能に保持するレンズ保持溝２８がそれぞれ形成されている。また、各リム部７１，７２の開放端幅Ｗは、各リム部７１，７２の上側（Ｕ）と下側（Ｌ）の直線部７１ａ（Ｕ），７１ｂ（Ｌ）、７２ａ（Ｕ），７２ｂ（Ｌ）の先端部分をそれぞれ適宜な曲率で互いに接近するように湾曲させることにより、検眼レンズ１０の外径より小さく設定されている。この場合、表面側のプラスチック板３０Ａの上側と下側の直線部７１ａ（Ｕ），７１ｂ（Ｌ）および裏面側のプラスチック板３０Ｂの下側の直線部７１ｂ（Ｌ），７２ｂ（Ｌ）の先端部がそれぞれ所定の方向に湾曲しており、裏面側のプラスチック板３０Ｂの上側直線部７１ａ（Ｕ），７２ａ（Ｕ）の先端部は湾曲しておらず、表面側のプラスチック板３０Ａの上側直線部７１ａ（Ｕ），７２ａ（Ｕ）よりも短く形成されている。また、裏面側のプラスチック板３０Ｂの上側直線部７１ａ（Ｕ），７２ａ（Ｕ）の先端は、検眼レンズ１０をレンズ保持枠３の中心からＰＤの最小半値幅（例えば、２８ｍｍ）の位置に位置決めする係止部７４を形成している。この係止部７４は垂直線に対して略４５°傾斜し下端側がリム部５，６の略中心を指向する斜面に形成されている。
【００５２】
表面側のプラスチック板３０Ａの表面で上側直線部７１ａ（Ｕ），７２ａ（Ｕ）の下方に湾曲する先端部はＰＤ調整用の目盛りの表示部を形成しており、レンズ保持枠７０の中心からのＰＤの半値幅を示す数字「２８」、「３０」，「３２」、「３４」、「３６」（ただし、３０，３２，３４は図示を省略）と、これらの数字の位置を示す５本の目盛り線７６が等間隔で表示されている。目盛り線７６は、前記係止部７４と同一角度で傾斜している。すなわち、被検眼者から見て左側のリム部７１については左に４５°傾斜して、右側のリム部７２については右に４５°傾斜してそれぞれ表示されている。また、最小の半値幅「２８」を表示する目盛り線は、前記裏側のプラスチック板３０Ｂの上側直線部７１ａ（Ｕ），７２ａ（Ｕ）の先端面ａと重なり合うように表示されている。このように目盛り線７６を表面側のプラスチック板３０Ａの直線部７１ａ（Ｕ），７２ａ（Ｕ）の表面先端部に４５°傾けて表示しておくと、検眼レンズ１０の手元の摘み部１０Ｂの位置でＰＤを調整することができる。すなわち、被検眼者のＰＤの値が例えば５６の場合、左側の検眼レンズ１０ＬのＰＤを調整するときは、検眼レンズ１０Ｌを左側のリム部７１の収納空間８Ａに挿入して摘み部１０Ｂを裏側のプラスチック板３０Ｂの左側の直線部７１ａ（Ｕ）の係止部７４に当接させて半値幅「２８」の値を示す目盛り線７６と一致させる。同様に、右側の検眼レンズのＰＤを調整するときは、右側の検眼レンズ１０Ｒを右側のリム部７２の収納空間８Ｂに検眼レンズ１０Ｒを挿入して摘み部１０Ｂを裏側のプラスチック板３０Ｂの直線部７２ａ（Ｕ）の係止部７４に当接させて半値幅「２８」の値を示す目盛り線７６と一致させる。この結果、左右の検眼レンズ１０のＰＤの値が５６ｍｍに調整されたことになる。なお、ＰＤの値を６０ｍｍに調整するときは、検眼レンズ１０を外側に移動させて摘み部１０Ｂの上側斜面７７を半値幅「３０」の値を示す目盛り線７６と一致させればよい。
【００５３】
前記連結部７３の表面には、４本の縦線７８ａ〜７８ｄと、２本の水平線７９ａ，７９ｂが表示されている。４本の縦線７８ａ〜７８ｄは、既存の眼鏡フレームとの中心位置合わせを容易にするためのもので、内側２本の縦線７８ａ，７８ｂが小さいフレーム用、外側２本の縦線７８ｃ，７８ｄが大きいフレーム用である。２本の水平線７９ａ，７９ｂのうち下側の水平線７９ａは、左右のリム部７１，７２の中心を通るデータムライン（幾何学水平線）である。上側の水平線７９ｂは累進屈折力レンズのアイポイントの高さを示す線で、データムライン７９ａより４ｍｍ上方に位置している。アイポイント位置は、フィッティング時の基準位置で検眼用テスト具を眼鏡に装着したときに通常の視野状態で視線が通る位置である（通常は瞳孔位置より少し下方にする）。
【００５４】
さらに、前記連結部７３の表面中央には、レンズ保持枠７０の左右方向中央を表示する三角形のマーク８０が上下に対向するように２つ表示されている。レンズ保持枠７０を眼鏡に装着するとき、前記マーク８０を眼鏡のブリッジの中央と一致させると、左右方向のずれが調整される。なお、連結部７３の上下には、指を挿入するための凹部２０と鼻逃がし用凹部２１が形成されている。
【００５５】
前記レンズ保持枠７０の上面で前記２枚のプラスチック板３０Ａ，３０Ｂの接合面間には、図１に示した支持アーム３６の脚部３６ａ，３６ｂがそれぞれ挿入される縦方向に長い矩形の孔８１ａ，８１ｂが形成されている。また、裏側のプラスチック板３０Ｂには、前記各孔８１ａ，８１ｂに対して２つずつ、合計４つのねじ取付孔８３が形成されており、これらのねじ取付孔８３にねじ込まれていれるビス３５（図１参照）によって前記各脚部３６ａ，３６ｂを孔８１ａ，８１ｂにそれぞれ固定するようにしている。
【００５６】
前記２枚のプラスチック板３０Ａ，３０Ｂは、各リム部７１，７２の上側直線部７１ａ（Ｕ），７２ａ（Ｕ）の接合面にそれぞれ設けた凹部８５と位置決め用突起８６を嵌合することにより位置決めされる。これにより、前記リム部７１，７２の上側直線部７１ａ（Ｕ），７２ａ（Ｕ）どうしは互いに密接し、前記支持アーム３６の脚部３６ａ，３６ｂを固定するために前記各ねじ取付孔８３にねじ込まれる４本のビス３５によって一体的に結合される。一方、２枚のプラスチック板３０Ａ，３０Ｂの下側直線部７１ｂ（Ｌ），７２ｂ（Ｌ）どうしは、表面側のプラスチック板３０Ａの裏面に突設したスペーサ８７を介して密接され、接着剤によって一体的に接合される。
【００５７】
このような構造からなるレンズ保持枠７０においては、被検者のＰＤに応じてレンズ保持枠７０の中央からのＰＤの半値幅を示す目盛り線７６に検眼レンズ１０の摘み部１０Ｂの上側斜面７７を一致させればよいので、ＰＤの調整作業が容易で確実に調整することができる。言い換えれば、摘み部１０Ｂの上側斜面７７が５本のうちのどの目盛り線７６と一致しているかを視認することにより、ＰＤ値を確認することができる。また、アイポイント用の水平線７９ｂを有しているので、アイポイントの高さ位置を知ることができる。
【００５８】
なお、上記した実施の形態はいずれもレンズ保持枠３，７０を２枚のプラスチック板３０の貼り合わせによって形成した例を示したが、本発明はこれに何ら特定されるものではなく、射出成形された１枚のプラスチック板によって形成されるものであってもよい。その場合、リム部がＣ字状で、開放端幅Ｗが内部より狭くなっていること、および内周面にＶ字状のレンズ保持溝２８が形成されることから型を無理抜きする必要があるが、リム部を弾性変形可能に形成しておけば、射出成形が可能である。また、射出成形された１枚のプラスチック板を機械加工することにより製作されるものであってもよい。
【００５９】
【発明の効果】
以上説明したように本発明に係る検眼用テスト具は、レンズ保持枠と、クリップとからなり、レンズ保持枠をそれぞれＣ字形状（または横向きＵ字状）で開放端と閉塞端を有し閉塞端が互いに対向する左右対称な一対のリム部と、これらのリム部の互いに対向する閉塞端を連結する連結部とで構成し、各リム部の内部空間を検眼レンズの収納空間とし、その内周面に検眼レンズを回動かつ左右方向に可能に保持するレンズ保持溝を形成したので、構造が簡単で部品点数が少なく、軽量化および低廉化を実現化することができる。また、既存の眼鏡を利用して検眼でき、しかも眼鏡への着脱、レンズ保持溝への検眼レンズの着脱作業も簡単かつ容易で、取扱性の優れた検眼用テスト具を提供することができる。さらに、被検眼者の肉体的負担が少ないので、特に累進多焦点用検眼レンズを装着して遠方、近方の見え方を体感させるときに用いて好適である。
【００６０】
また、本発明は、略同一形状からなる２枚のプラスチック板によってレンズ保持枠を形成したので、レンズ保持枠を安価に製作することができる。
【００６１】
また、リム部の開放端幅を狭める突起を設けた発明においては、検眼レンズがレンズ保持溝から脱落するのを確実に防止することができる。また、この突起に検眼レンズが乗り上げると、レンズ保持枠のリム部が弾性変形して開放端部の幅を広げるため、検眼用レンズをレンズ保持溝から容易に取り出すことができる。
【００６２】
さらに、レンズ保持枠の端部に係止部を設けた発明においては、検眼レンズの摘み部を係止部に当接するだけで検眼レンズをＰＤの最小半値幅位置に確実に係止することができる。
【図面の簡単な説明】
【図１】  本発明に係る検眼用テスト具の一実施の形態を示す使用状態の正面図である。
【図２】  同じく検眼用テスト具の平面図である。
【図３】  同じく検眼用テスト具を眼鏡に装着するときの様子を示す図である。
【図４】  図１のＩＶ−ＩＶ線拡大断面図である。
【図５】  左眼用検眼レンズの正面図である。
【図６】  本発明の他の実施の形態を示す検眼用テスト具の正面図である。
【図７】  同じく検査用テスト具の側面図である。
【図８】  要部の拡大図である。
【図９】  本発明のさらに他の実施の形態を示レンズ保持枠の正面図である。
【図１０】  は同レンズ保持枠の平面図である。
【図１１】  同レンズ保持枠の底面図である。
【図１２】  図９のXII−XII線断面図である。
【符号の説明】
１…検眼用テスト具、２…眼鏡、３…レンズ保持枠、４…クリップ、１０…検眼レンズ、５，６…リム部、１１…突起、１３…ＰＤ調整用の距離目盛り、１６，１７…目盛り線、２１…鼻逃がし用凹部、２７…係止部、２８…レンズ保持溝、６０…クリップ、６４…検眼用テスト具、７０…レンズ保持枠、７６…目盛り線、７４…係止部。
【図１】
0003842741.tif 000002
【図２】
0003842741.tif 000003
【図３】
0003842741.tif 000004
【図４】
0003842741.tif 000005
【図５】
0003842741.tif 000006
【図６】
0003842741.tif 000007
【図７】
0003842741.tif 000008
【図８】
0003842741.tif 000009
【図９】
0003842741.tif 000010
【図１０】
0003842741.tif 000011
【図１１】
0003842741.tif 000012
【図１２】
0003842741.tif 000013